【事件の表示】
　商願２０００−　７７１８７拒絶査定に対する審判事件について、次のとおり審決する。
【結　論】
　原査定を取り消す。
　本願商標は、登録すべきものとする。
【理　由】
１　本願商標
　本願商標は、後掲（１）に示したとおりの構成よりなり、平成１２年７月１１日に登録出願、指定商品については、願書記載の指定商品を、当審において、平成１４年８月１５日付けの手続補正書により、第１類「原料プラスチックス，工業用粉類」と補正されたものである。
　
２　原査定の拒絶の理由の要旨
　原査定は、以下のとおり、本願商標が商標法第４条第１項第１１号に該当するものであって、かつ、同法第６条第２項の要件を具備しない旨認定、判断し、本願を拒絶したものである。
（１）原査定において、商標法第４条第１項第１１号に該当するとして本願商標の拒絶理由に引用された商標は、以下のとおりである。
（ａ）第２０８５７５号商標（以下「引用Ａ商標」という。）は、後掲（２）に示したとおりの構成よりなり、昭和３年１０月１１日に登録出願、第５６類「硝酸曹達、其ノ他本類ニ属スル肥料一切」を指定商品として、同４年８月７日に設定登録され、その後、同２５年８月１２日、同４５年８月２２日、同５５年２月２９日、平成４年５月２８日及び同１１年８月１７日の５回にわたり商標権の存続期間の更新登録がなされたものである。　
（ｂ）第８２４０１４号商標（以下「引用Ｂ商標」という。）は、後掲（３）に示したとおりの構成よりなり、昭和３３年１０月１７日に登録出願、第１６類「護謨『エボナイト』『ガクペルチヤ』『ラバーサブスチチユート』及他類に属せざる其の軟質製品」を指定商品として、同４４年７月２日に設定登録され、その後、商標権一部取消し審判があった結果、その指定商品中、「ゴム製のくつかかと、半張り底、内底、地下足袋底」の取消しの確定登録が同５５年１１月１７日になされ、さらに、商標権の一部取消し審判があった結果、その指定商品中、「ゴム又は軟質プラスチツクス製のあかすり、おしろい入れ、クリーム入れ、洗面用具入れ等、軟質プラスチツクスの基礎製品、ゴム、ゴム誘導体およびこれらの基礎製品」の取消しの確定登録が同６２年９月２２日になされたものである。また、平成元年１１月２１日及び同１１年３月９日の２回にわたり商標権の存続期間の更新登録がなされたものである。
（ｃ）第１２９８８９９号商標（以下「引用Ｃ商標」という。）は、後掲（４）に示したとおりの構成よりなり、昭和５０年６月１３日に登録出願、第５類「燃料、工業用油、工業用油脂、ろう、高級脂肪酸」を指定商品として、同５２年９月１２日に設定登録され、その後、同６２年９月１８日及び平成９年９月９日の２回にわたり商標権の存続期間の更新登録がなされたものである。　
（ｄ）第１２９８９００号商標（以下「引用Ｄ商標」という。）は、後掲（５）に示したとおりの構成よりなり、昭和５０年６月１３日に登録出願、第５類「燃料、工業用油、工業用油脂、ろう、高級脂肪酸」を指定商品として、同５２年９月１２日に設定登録され、その後、同６２年９月１８日及び平成９年９月９日の２回にわたり商標権の存続期間の更新登録がなされたものである。
（ｅ）第１５２７５００号商標（以下「引用Ｅ商標」という。）は、後掲（６）に示したとおりの構成よりなり、昭和５３年４月２８日に登録出願、第３類「印刷インキ、その他本類に属する商品」を指定商品として、同５７年７月３０日に設定登録され、その後、商標権一部取消し審判があった結果、その指定商品中、「靴クリーム、靴墨」の取消しの確定登録が平成９年１２月３日になされたものである。また、同４年１２月２４日及び同１４年２月１９日の２回にわたり商標権の存続期間の更新登録がなされ、同１５年１月２９日に第２類「染料，顔料，塗料，印刷インキ（『謄写版用インキ』を除く。）」とする指定商品の書換登録がなされたものである。
（ｆ）第２３４９９９５号商標（以下「引用Ｆ商標」という。）は、後掲（７）に示したとおりの構成よりなり、昭和６３年２月９日に登録出願、第３４類「パルプ」を指定商品として、平成３年１１月２９日に設定登録されたものであるが、その後、本権は、同１３年１１月２９日に存続期間満了により消滅し、同１４年８月１４日にその抹消登録がなされたものである。
（ｇ）第２３９４４２７号商標（以下「引用Ｇ商標」という。）は、後掲（８）に示したとおりの構成よりなり、昭和６２年８月１２日に登録出願、第１類「化学品（他の類に属するものを除く）薬剤、医療補助品」を指定商品として、平成４年３月３１日に設定登録され、その後、同１４年４月９日に商標権の存続期間の更新登録がなされたものである。
（ｈ）第２４４７４４５号商標（以下「引用Ｈ商標」という。）は、後掲（９）に示したとおりの構成よりなり、平成元年１２月２８日に登録出願、第３１類「調味料、香辛料、食用油脂、乳製品」を指定商品として、平成４年８月３１日に設定登録され、その後、同１４年６月２５日に商標権の存続期間の更新登録がなされ、同１４年７月１７日に第２９類「乳製品，食用油脂」とする指定商品の書換登録がなされたものである。
（ｉ）第２４９８８７８号商標（以下「引用Ｉ商標」という。）は、後掲（１０）に示したとおりの構成よりなり、昭和５９年５月２５日に登録出願、第１０類「理化学機械器具（電子応用機械器具に属するものを除く）光学機械器具（電子応用機械器具に属するものを除く）写真機械器具、映画機械器具、測定機械器具（電子応用機械器具に属するものおよび電気磁気測定器を除く）医療機械器具、これらの部品および附属品（他の類に属するものを除く）写真材料」を指定商品として、平成５年１月２９日に設定登録され、その後、同１５年１月２８日に商標権の存続期間の更新登録がなされ、同１５年２月１２日に第１類「 写真材料」、第９類「 理化学機械器具，光学機械器具，写真機械器具，映画機械器具，測定機械器具」及び第１０類「医療用機械器具」とする指定商品の書換登録がなされたものである。
（ｊ）第２５６２６２２号商標（以下「引用Ｊ商標」という。）は、後掲（１１）に示したとおりの構成よりなり、平成２年２月２１日に登録出願、第２５類「紙類、その他本類に属する商品」を指定商品として、同５年７月３０日に設定登録されたものである。
（ｋ）第４１２６６１２号商標（以下「引用Ｋ商標」という。）は、後掲（１２）に示したとおりの構成よりなり、平成８年４月１８日に登録出願、第６類「鉄及び鋼，非鉄金属及びその合金，金属製建造物組立てセット，建築又は構築用の金属製専用材料，金属製の可搬式家庭用温室」を指定商品として、同１０年３月２０日に設定登録されたものである。
（ｌ）商願２０００−３６３１８号商標（以下「引用Ｌ商標」という。）は、「ＣＨＡＭＰＩＯＮ」の欧文字を標準文字で書してなり、第１６類「印刷用・筆記用・コピー用・出版用及び複写用コーテッドペーパー及び非塗工用紙，コーテッド及び非塗工カバーペーパー・ボンド紙・封筒用紙・フリーシート紙・ウェブ紙・オフセット用紙・クラフト紙・インクジェット用紙・レーザー紙・新聞用紙・ファクシミリ用紙・書式紙，砕木パルプ，板紙，板紙製品，ライナーボード，ライナーボード製品，その他の紙類，紙箱，紙袋，段ボール箱，その他の紙製包装用容器，紙製ごみ収集用袋，衛生手ふき，紙製タオル，紙製テーブルナプキン，紙製手ふき，紙製ハンカチ，型紙，裁縫用チャコ，紙製テーブルクロス，紙製ブラインド，紙製のぼり，紙製旗，紙製幼児用おしめ，荷札，印刷物，遊戯用カード，封筒，その他の文房具類」を指定商品として、平成１２年４月７日に登録出願されたものであるが、同１３年４月３日に拒絶査定がなされ、同１３年１０月１０日に確定されたものである。
（２）本願商標は、その指定商品中「バルブ」が第６類または第７類の商品と認められるから、商標法第６条第２項の要件を具備しない。
　
３　当審の判断
　本願商標は、後掲（１）に示したとおりであるところ、その構成中の「Ｃｈａｍｐｉｏｎ」（「ｎ」の上部に小さな幾何図形が配されている。）の欧文字に相応して「チャンピオン」の称呼を生ずるものと認められる。
　他方、引用ＡないしＥ及びＧないしＫ商標は、後掲（２）ないし（６）及び（８）ないし（１２）に示したとおりの構成よりなるところ、その構成に照応して「チャンピオン」の称呼を生ずるものと認められる。
　そうとすれば、本願商標と引用ＡないしＥ及びＧないしＫ商標は、それぞれより生ずる共通の「チャンピオン」の称呼において、類似する商標である。
　また、本願商標の指定商品は、引用ＡないしＥ及びＧないしＫ商標の指定商品に包含されているものである。
　さらに、本願商標の指定商品中「バルブ」は、第６類または第７類の商品と認められるものである。
　してみれば、本願商標が商標法第４条第１項第１１号に該当するものであって、かつ、同法第６条第２項の要件を具備しないとする原査定は、妥当なものであった。
　ところで、本願商標の指定商品は、上記１の補正の結果、引用ＡないしＥ及びＧないしＫ商標の指定商品とは、同一又は類似の商品は、すべて削除されたと認められるものである。
　さらに、本願商標の指定商品中「バルブ」も、上記１の補正の結果、削除されたと認められるものである。
　なお、引用Ｆ商標は、上記２のとおり、存続期間が満了により消滅し、その抹消登録がなされたものであり、引用Ｌ商標は、上記２のとおり、拒絶査定が確定されたと認められるものである。　
　したがって、原査定における拒絶の理由は、解消した。
　その他、政令で定める期間内に本願について拒絶の理由を発見しない。
　よって、結論のとおり審決する。